(57)【要約】  【課題】  本発明では、内容器の開口縁部と肩部材のフランジ部との間のパッキンが過度に圧接されて破損してしまうことがなく、しかも、充分な止水機能を確保することができるポットの提供を目的とする。  【解決手段】  液体を収容する内容器１２と、該内容器１２の上部側に位置する肩部材１４と、該肩部材１４のフランジ部２７と上記内容器１２の上端開口部１２ｂとの間に挟まれて、これらの間をシールするパッキン１８とを有するポット１１であって、上記パッキン１８の破損を防止可能な範囲で該パッキン１８の弾性変形を規制すべく、上記パッキン１８の外周側に、該パッキン１８に接触して位置する環状の規制部材１９を設け、該規制部材１９を、上記内容器１２を押し上げて上記パッキン１８を押圧変形したときに、上記パッキン１８が所定の厚みに保持される厚みに形成したポット１１。  【選択図】    図１
2005261656.tif 000002
【特許請求の範囲】
【請求項１】
液体を収容する内容器と、該内容器の上部側に位置する肩部材と、該肩部材のフランジ部と上記内容器の上端開口部との間に挟まれて、これらの間をシールするパッキンとを有するポットであって、
上記パッキンの破損を防止可能な範囲で該パッキンの弾性変形を規制すべく、上記パッキンの外周側に、該パッキンに接触して位置する環状の規制部材を設け、
該規制部材を、上記内容器を押し上げて上記パッキンを押圧変形したときに、上記パッキンが所定の厚みに保持される厚みに形成した
ポット。
【請求項２】
前記規制部材に、前記シール時に前記内容器の上部に圧接される下面と、前記フランジ部に圧接される上面とを形成した
請求項１に記載のポット。
【請求項３】
前記規制部材に、該規制部材が押し上げられたときに前記パッキンを前記内容器の上端開口部の側に押圧する押圧部を形成し、
上記パッキンにおける上記押圧部に対向する部位に、該押圧部に押圧される被押圧部を形成した
請求項１、又は請求項２に記載のポット。
【請求項４】
前記パッキンの下端部に、前記開口縁部と嵌合する凹溝を形成した
請求項１、請求項２、又は請求項３に記載のポット。
【請求項５】
前記規制部材における内周部に、前記パッキンを受ける受け部を形成した
請求項１から請求項４のいずれか一項に記載のポット。
【発明の詳細な説明】
【技術分野】
【０００１】
この発明は、内容器に収容した液体の止水機能を確保するパッキンを有したポットに関し、特に、内容器がステンレスなど金属製断熱容器の場合においても確実に止水機能を確保することができるポットに関する。
【背景技術】
【０００２】
通常、ポットの製造時において上記内容器のポット本体への取り付けは、内容器の底部に底面部材を取り付けた状態で、該内容器を肩部材の下側へ配置させる。さらに、上記底面部材を回転させながら、内容器とともに、ポット本体に対して上方へ押し上げて、ポット本体と底面部材とに形成した一対の螺子部どうしを螺合することにより行われる。  
その際、上記内容器における上端開口部の開口縁部に取り付けたパッキンが肩部材のフランジ部に対して圧接されるため、これらの間を止水できる。
【０００３】
しかし、最近、上記内部容器に、ステンレスなどの金属製断熱容器を用いたポットが普及するに伴って、上述したように止水する場合、以下のような問題点が存在する。  
内容器が金属製の場合、ガラス製の場合と比較して通常その肉厚は、薄いため、その開口縁部も薄肉となる。このような薄肉の開口縁部でパッキンを押圧すると、該パッキンには、局所的に過大な押圧力が作用することになる。このため、パッキンは、極端に弾性変形することで、破損してしまい、充分なシーリング機能を果たすことができないという問題があった。
【０００４】
このような問題に対する従来の対応策としては、例えば、図６に示したように内容器６２の開口縁部６２ａと嵌合可能な凹溝６１ａを下端面に形成した環状のパッキン６１を用いる。  
その場合、パッキン６１の凹溝６１ａと開口縁部６２ａとを嵌合させた状態で内容器６２をポット本体６３側へ押し上げる。その際、開口縁部６２ａの上端がパッキン６１に接触する手前側の位置で該内容器６２の押し上げを停止する。
【０００５】
つまり、内容器６２は、ポット本体６３と開口縁部６２ａの上端との間に隙間（図６中のｄ）が生じた状態でポット本体６３に取り付けられていた。  
これにより、パッキン６１には集中荷重が加わることがないため、パッキン６１が破損することを防止できる。
【０００６】
しかし、上述した従来の対応策では、パッキン６１を積極的に弾性変形させて、その弾性力を利用して開口縁部６２ａを押圧するのではなく、単に開口縁部６２ａの周縁にパッキン６１を接触させて止水しているだけである。
【０００７】
このため、パッキン６１の止水機能を充分に確保することができないという難点があった。
【発明の開示】
【発明が解決しようとする課題】
【０００８】
そこで本発明では、内容器の開口縁部と肩部材のフランジ部との間のパッキンが過度に圧接されて破損してしまうことがなく、しかも、充分な止水機能を確保することができるポットの提供を目的とする。
【課題を解決するための手段】
【０００９】
本発明のポットは、液体を収容する内容器と、該内容器の上部側に位置する肩部材と、該肩部材のフランジ部と上記内容器の上端開口部との間に挟まれ、これらの間をシールするパッキンとを有するポットであって、上記パッキンの破損を防止可能な範囲で該パッキンの弾性変形を規制すべく、上記パッキンの外周側に、該パッキンに接触して位置する環状の規制部材を設け、該規制部材を、上記内容器を押し上げて上記パッキンを押圧変形したときに、上記パッキンが所定の厚みに保持される厚みに形成することを特徴とする。
【００１０】
上記規制部材は、上記内容器を押し上げたとき、上記パッキンが破損する程度にまで該パッキンが弾性変形することを規制するとともに、止水機能を確保できる程度に該パッキンの弾性変形を許容することができる。
【００１１】
好ましくは、上記規制部材に、前記シール時に前記内容器の上部に圧接される下面と、前記フランジ部に圧接される上面とを形成することができる。
【００１２】
また、上記規制部材に、該規制部材が押し上げられたときに上記パッキンを上記内容器の上端開口部の側に押圧する押圧部を形成し、
上記パッキンにおける上記押圧部に対向する部位に、該押圧部に押圧される被押圧部を形成することができる。
【００１３】
上記押圧部は、上記パッキンが押し上げられたときに該押圧部に作用する力を、上記開口縁部の側へ押圧する方向に変換して、上記パッキンにおける被押圧部を押圧することができる。
【００１４】
上記ポットには、上記開口縁部と嵌合する凹溝を下端部に形成したパッキンを用いるとよい。  
これにより、内容器の開口縁部は、上端だけでなく周縁も押圧することができる。
【００１５】
また、上記規制部材における内周部には、上記パッキンを受ける受け部を形成することもできる。
【発明の効果】
【００１６】
本発明によれば、上記規制部材を設けることで、シール時に上記パッキンを所定の厚さに保持することができる。  
このため、例えば金属製断熱容器などの薄肉に形成された内容器の開口縁部がパッキンに圧接しても、該パッキンが極端に弾性変形し、破損してしまうことを防止することができる。  
また、上記規制部材を上記パッキンの外周側に、該パッキンに接触して設けることで、上記内容器を押し上げたときにパッキンが外周側へ弾性変形することを規制することができる。  
これにより、内容器における開口縁部側にパッキンの弾性力が作用し、止水機能を向上させることができる。
【００１７】
特に、上記規制部材に上記押圧部を形成すれば、上記内容器を押し上げたときに該押圧部に作用する力を、該内容器における開口縁部の側に作用させて、パッキンの被押圧部を押圧することができる。  
このため、パッキンは、内容器における開口縁部をより積極的に押圧できるため、さらに止水機能を向上させることができる。
【００１８】
また、上記規制部材に受け部を形成すれば、上記パッキンは、該受け部に支持された状態のまま上記内容器の開口縁部に対して容易に着脱することができる。
【００１９】
しかも、上記パッキンと上記規制部材とは、上記内容器から取り外した状態においても、セットで扱うことができるため、それぞれを単品で扱うよりも扱い易く、紛失し難くすることができる。
【発明を実施するための最良の形態】
【００２０】
この発明の一実施形態を、以下図面を用いて説明する。  
図１は、エアーポット１１の略全体を断面で示した図である。  
上記エアーポット１１は、大別すると、内部に液体を収容する内容器１２と、該内容器１２を囲繞するとともに、エアーポット１１の外周壁面を構成する筒状の外筒部材１３と、エアーポット１１の上部に有するとともに、液体を注出する注出路２４を内部に備えた肩部材１４と、該肩部材１４の上側に有する蓋体１５と、上記内容器１２の底部１２ａを支持する底面部材１６とで構成している。
【００２１】
上記内容器１２は、断熱性の高いステンレスを用いて真空二重構造で構成し、図２に示したように上端に開口部１２ｂを備えている。上記内容器１２の上部は、該開口部１２ｂの口径よりも一回り大径となる部位までを円錐状に構成している。さらにその円錐状の上端外周部は、段状に構成して上記開口部１２ｂと略同一の口径となり、該口径を維持したまま上記開口部１２ｂを構成するまで上方に突設した構成をしている。  
上記段状に構成した円錐状の上端外周部位を段部１２ｃとする。
【００２２】
上記開口部１２ｂの開口縁部１７には、図３に示したように該開口縁部１７をシールするためのパッキン１８を嵌合し、該パッキン１８は、開口縁部１７の上端１７ａと後述する肩部材１４のフランジ部２７との間で挟着されている。上記パッキン１８は、シリコンにより環状に形成し、その下面には、上記開口縁部１７に嵌合可能な凹溝１８ａを形成している。さらに、上記パッキン１８の上部外周側には、外側に突き出した鍔部１８ｂを形成している（図２、図３参照）。
【００２３】
上記パッキン１８における凹溝１８ａよりも内周側は、その下部を断面視するとテーパ状に切り欠いた形態をしている。
【００２４】
また、上記パッキン１８の外周側には、上記パッキン１８の弾性変形を規制する規制部材１９を接触させて配置させている（図３参照）。上記規制部材１９は、合成樹脂製で環状に形成し、その内周面には、上記パッキン１８の外周面を接触させたとき、該パッキン１８の下面を受ける受け部１９ａを下部に有している（図２参照）。
【００２５】
さらに、規制部材１９の上部内周側には、上記受け部１９ａで上記パッキン１８を受けたとき、上記パッキン１８の鍔部の下面を支持可能な鍔部支持部１９ｂを形成している（図３参照）。
【００２６】
つまり、上記規制部材１９は、断面視すると下部、中部、上部の順に段状に大径に形成し、該規制部材１９の半径方向の肉厚は、下部から上部まで略同一の厚みに形成している。
【００２７】
さらに、上記規制部材１９における上記鍔部支持部１９ｂの角部は、円弧状に湾曲させて上記パッキン１８を押圧する押圧部１９ｃを形成している。そして、上記受け部１９ａで上記パッキン１８を受けたとき、パッキン１８における上記押圧部１９ｃに対向部位を被押圧部１８ｃとする。
【００２８】
パッキン１８は、規制部材１９の受け部１９ａが受けられ、上記凹溝１８ａと上記内容器１２の開口縁部１７とを嵌合させて、内容器１２に取り付けられている。  
このとき、規制部材１９の下面１９ｅは、上記内容器１２の段部１２ｃに支持されている。
【００２９】
また、上記底面部材１６は、内容器１２が支持可能な大きさに形成し、その外周部には、上記外筒部材１３に取り付けるために外周側に雄螺子部１６ｂを備えた取り付け部１６ａを上方に突設している（図１参照）。
【００３０】
上記外筒部材１３は、その下端側の内周部に、上記底面部材１６の雄螺子部１６ｂと螺合する雌螺子部１３ｂを構成し、上端側の内周部に、上記肩部材１４と係合する係合部１３ａを構成している。
【００３１】
上記肩部材１４は、合成樹脂で形成し、上部には飲料を注入したときに受ける受け皿部２１を有し、該受け皿部２１の中央下側には、飲料を内容器１２に注入する際に通過させる連通孔２２を有している。上記連通孔２２における前方側の内部には、肩部材１４の前端に有するノーズ部２３に至るまで所定の各パイプを接続して注出路２４を構成している。上記注出路２４における連通孔２２側においては、Ｌ形の接続パイプ２５の一端側２５ａを上記連通孔２２の下側へ垂下させて、該接続パイプ２５における一端側２５ａには、棒状の揚水パイプ２６を接続している。
【００３２】
上記肩部材１４の下面における連通孔２２の周縁部には、底面部材１６とともに、該底面部材１６を取り付けた内容器１２を押し上げたとき、上記パッキン１８を介して上記内容器１２の開口縁部１７を受けるためのフランジ部２７を形成している。
【００３３】
さらに、肩部材１４の下面には、上記外筒部材１３の内周側に嵌め込み可能であるとともに、係合部１３ａに係合される被係合部２８ａを有した環状突起部２８を突設している。
【００３４】
また、肩部材１４の左右両側部には、把持用の取手３１が枢着されている。  
上記肩部材１４は、上方から環状突起部２８を外筒部材１３の内周側へ嵌合するとともに、係合部１３ａと被係合部２８ａとを係合して、外筒部材１３の上部に取り付いている。
【００３５】
また、上記蓋体１５は、その内部にベローズ等のエアーポット１１として所定の機能を実現する上で必要な周知の部品を備えている（図示せず）が、本実施形態においては、蓋体１５についての詳しい説明を省略する。  
上記蓋体１５は、上記肩部材１４の後端側において、ヒンジ接続部３２により着脱可能に枢着されている。
【００３６】
次に、内容器１２の外筒部材１３への取り付けについて説明する。  
まず、上記内容器１２の開口縁部１７に規制部材１９とパッキン１８とを取り付けて、上記内容器１２を、上記外筒部材１３の下側から内部に差し込む。そして、外筒部材１３の雌螺子部１３ｂと底面部材１６の雄螺子部１６ｂとが螺合し、内容器１２を押し上げる。
【００３７】
ところで、上述したように規制部材１９の受け部１９ａでパッキン１８を受けた状態のとき、該パッキン１８の上面１８ｄは、図４に示したように規制部材１９の上面１９ｄよりも高い位置となる。
【００３８】
このため、内容器１２を押し上げていくと、図５に示したようにまず、パッキン１８の上面１８ｄがフランジ部２７に当接する。そして、さらに内容器１２を押し上げると、パッキン１８は、開口縁部１７とフランジ部２７とで上下方向において押圧されるため、弾性変形した後、規制部材１９の上面１９ｄもフランジ部２７に当接する（図３参照）。
【００３９】
このように、規制部材１９の上面１９ｄもフランジ部２７に当接したとき、規制部材１９の下面１９ｅもその略全体が内容器１２における段部１２ｃに当接しているため、それ以上パッキン１８が弾性変形することを物理的に規制することができる。
【００４０】
このとき、パッキン１８は、フランジ部２７と開口縁部１７との間を充分シーリングが可能な程度にまで弾性変形している。
【００４１】
そして、規制部材１９は、パッキン１８がさらに弾性変形することを規制している。よって、パッキン１８は、内容器１２の上記開口縁部１７の上端１７ａによって、局所的に押圧されることがない。
【００４２】
このように、パッキン１８の厚みが所定の厚みに保持される厚みに規制部材１９の厚みを設定している。
【００４３】
規制部材１９の厚さを設定する一つの手順を説明する。  
上記規制部材１９の厚さは、例えば、パッキン１８の材質や特性などから弾性係数、パッキン１８の弾性変形の許容値、さらにフランジ部２７と開口縁部１７との間をシーリングする上で最低限必要となる押圧力など、経験値などから明らかにし、これらの値をもとにして、パッキン１８を弾性変形させる値の範囲を算出することができる。  
さらに、この弾性変形させる値は、パッキン１８を受け部１９ａで受けた状態において、パッキン１８における規制部材１９の上面１９ｄよりも上側の部分の厚み（図４中のｄ１）に相当するように設定することができる。
【００４４】
規制部材１９の上面１９ｄがこのように設定した高さ位置となるように、内容器１２の段部１２ｃから該上面１９ｄの高さ位置までの間隔を規制部材１９の厚みに設定することができる。
【００４５】
また、上記内容器１２を押し上げたとき、パッキン１８はフランジ部２７と受け部１９ａとに押圧されるため、上下方向に弾性力Ｆが作用する（図３参照）。このとき、上記規制部材１９の鍔部支持部１９ｂには、パッキン１８から下方向の弾性力Ｆ’を受ける。
【００４６】
しかし、その鍔部支持部１９ｂの内側は、開口縁部１７側に湾曲させて押圧部１９ｃを形成しているため、該押圧部１９ｃにおいては、上記弾性力Ｆ’を、開口縁部１７側へ作用させることができる（Ｆ’’）。よって、パッキン１８を該開口縁部１７側へ押圧することができる（図３参照）。
【００４７】
以上のように内容器１２を外筒部材１３に取り付ければ、エアーポット１１を構成することができる。上記エアーポット１１は、次のような様々な効果を得ることができる。  
上記規制部材１９により、該規制部材１９の受け部１９ａの上面から規制部材１９の上面１９ｄまでのパッキン１８の厚みを、所定の厚みに保持することができる。このため、特にステンレス製の内容器１２における薄肉の開口縁部１７の上端１７ａが上記パッキン１８を押し上げても、パッキン１８には、局所的に過大な弾性変形が強要されることがない。よって、パッキン１８が破損してしまうことがない。  
しかも、パッキン１８を充分、止水できる程度に弾性変形させることができる。
【００４８】
また、上記規制部材１９は、パッキン１８の外周側に接触させて配置しているため、パッキン１８が外側に弾性変形しようとしてもその弾性変形を規制することができる。よって、パッキン１８のこのような外側への弾性変形を規制することにより、規制部材１９の内周側に位置する開口縁部１７側にパッキン１８の弾性力を作用させることができる。このため、パッキン１８は、開口縁部１７の上端１７ａだけでなく周縁部１７ｂも押圧することができるため、より止水機能を高めることができる。
【００４９】
さらに、規制部材１９に形成した押圧部１９ｃにより、内容器１２を押し上げているとき、パッキン１８に上下方向に作用している弾性力Ｆを内容器１２の開口縁部１７側に作用させることができる。よって、さらに開口縁部１７の止水機能を高めることができる。
【００５０】
また、上記受け部１９ａを形成すれば、該受け部１９ａでパッキン１８を受けた状態でパッキン１８と規制部材１９とが一体の状態で、内容器１２に対して容易に着脱することができる。
【００５１】
このように、パッキン１８と規制部材１９とを一体に扱うことができるため、パッキン１８、或いは規制部材１９が紛失することを防止することができる。
【００５２】
上述の実施形態と、この発明の構成との対応において、この実施形態のエアーポット１１は、この発明のポットに対応するも、この発明は、上述の実施形態の構成のみに限定されるものではなく、多くの実施の形態を得ることができる。
【図面の簡単な説明】
【００５３】
【図１】エアーポットの要部断面図。
【図２】エアーポットの要部の分解斜視図。
【図３】エアーポットの要部を示す断面図。
【図４】内容器を取り付ける際の要部を示す断面図。
【図５】他の内容器を取り付ける際の要部を示す断面図。
【図６】従来のポットの止水構造を示す説明図。
【符号の説明】
【００５４】
１１…エアーポット
１２…内容器
１４…肩部材
１７…開口縁部
１８…パッキン
１８ｃ…被押圧部
１９…規制部材
１９ａ…受け部
１９ｃ…押圧部
２７…フランジ部
【図１】
2005261656.tif 000003
【図２】
2005261656.tif 000004
【図３】
2005261656.tif 000005
【図４】
2005261656.tif 000006
【図５】
2005261656.tif 000007
【図６】
2005261656.tif 000008